Podtech/llm-jp-corpus-v4-ja_patent huggingface dataset:
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
血清総コレステロール及び血清ＬＤＬコレステロールの一方または両方を減少させるための医薬組成物であって、（ａ）被験体のベースライン血清総コレステロールと比べて、血清総コレステロール、および（ｂ）被験体のベースライン血清ＬＤＬコレステロールと比べて、血清ＬＤＬコレステロールの一方または両方の約５％以上の減少をもたらす、約０．５ｍｇから約５ｍｇの量の、アトラセンタンまたはこの医薬として許容される塩が投与されることを特徴とする、医薬組成物。
【請求項２】
（ａ）被験体のベースライン血清総コレステロールと比べて、血清総コレステロール、および（ｂ）被験体のベースライン血清ＬＤＬコレステロールと比べて、血清ＬＤＬコレステロールの両方について減少がもたらされる、請求項１に記載の医薬組成物。
【請求項３】
アトラセンタンの医薬として許容される塩が被験体に投与される、請求項１又は２に記載の医薬組成物。
【請求項４】
被験体に投与される医薬として許容される塩がアトラセンタン塩酸塩である、請求項３に記載の医薬組成物。
【請求項５】
血清総コレステロールが、被験体のベースライン血清総コレステロールと比べて約１０％以上減少される、請求項１または２に記載の医薬組成物。
【請求項６】
血清総コレステロールが、被験体のベースライン血清総コレステロールと比べて約１５％以上減少される、請求項５に記載の医薬組成物。
【請求項７】
血清総コレステロールが、被験体のベースライン血清総コレステロールと比べて約２０％以上減少される、請求項６に記載の医薬組成物。
【請求項８】
血清総コレステロールが、被験体のベースライン血清総コレステロールと比べて約１０％から約２５％減少される、請求項１に記載の医薬組成物。
【請求項９】
血清総コレステロールが、被験体のベースライン血清総コレステロールと比べて約１５％から約２５％減少される、請求項８に記載の医薬組成物。
【請求項１０】
血清ＬＤＬコレステロールが、被験体のベースライン血清ＬＤＬコレステロールと比べて約１０％以上減少される、請求項１または２に記載の医薬組成物。
【請求項１１】
血清ＬＤＬコレステロールが、被験体のベースライン血清ＬＤＬコレステロールと比べて約１５％以上減少される、請求項１０に記載の医薬組成物。
【請求項１２】
血清ＬＤＬコレステロールが、被験体のベースライン血清ＬＤＬコレステロールと比べて約２０％以上減少される、請求項１１に記載の医薬組成物。
【請求項１３】
血清ＬＤＬコレステロールが、被験体のベースライン血清ＬＤＬコレステロールと比べて約１０％から約２５％減少される、請求項１０に記載の医薬組成物。
【請求項１４】
血清ＬＤＬコレステロールが、被験体のベースライン血清ＬＤＬコレステロールと比べて約１５％から約２５％減少される、請求項１３に記載の医薬組成物。
【請求項１５】
血清総コレステロールが、ベースラインと比べて約１０ｍｇ／ｄＬ以上減少される、請求項１または２に記載の医薬組成物。
【請求項１６】
血清総コレステロールが、ベースラインと比べて約２０ｍｇ／ｄＬ以上減少される、請求項１５に記載の医薬組成物。
【請求項１７】
血清総コレステロールが、ベースラインと比べて約１０ｍｇ／ｄＬから約２５ｍｇ／ｄＬ減少される、請求項１５に記載の医薬組成物。
【請求項１８】
血清総コレステロールが、ベースラインと比べて約１５ｍｇ／ｄＬから約２５ｍｇ／ｄＬ減少される、請求項１７に記載の医薬組成物。
【請求項１９】
血清ＬＤＬコレステロールが、ベースラインと比べて約１０ｍｇ／ｄＬ以上減少される、請求項１または２に記載の医薬組成物。
【請求項２０】
血清ＬＤＬコレステロールが、ベースラインと比べて約２０ｍｇ／ｄＬ以上減少される、請求項１９に記載の医薬組成物。
【請求項２１】
血清ＬＤＬコレステロールが、ベースラインと比べて約１０ｍｇ／ｄＬから約２５ｍｇ／ｄＬ減少される、請求項１９に記載の医薬組成物。
【請求項２２】
血清ＬＤＬコレステロールが、ベースラインと比べて約１５ｍｇ／ｄＬから約２５ｍｇ／ｄＬ減少される、請求項２１に記載の医薬組成物。
【請求項２３】
約０．５ｍｇから約１．５ｍｇのアトラセンタンまたはこの医薬として許容される塩が被験体に投与される、請求項１または２に記載の医薬組成物。
【請求項２４】
約０．７５ｍｇから約１．２５ｍｇのアトラセンタンまたはこの医薬として許容される塩が被験体に投与される、請求項２３に記載の医薬組成物。
【請求項２５】
約０．７５ｍｇのアトラセンタンまたはこの医薬として許容される塩が被験体に投与される、請求項２４に記載の医薬組成物。
【請求項２６】
アトラセンタンまたはこの医薬として許容される塩が被験体に毎日投与される、請求項１または２に記載の医薬組成物。
【請求項２７】
治療有効量のＨＭＧ−ＣｏＡ還元酵素阻害剤が被験体にさらに投与される、請求項１または２に記載の医薬組成物。
【請求項２８】
治療有効量のスタチンが被験体に投与されることをさらに含む、請求項２７に記載の医薬組成物。
【請求項２９】
被験体が、冠動脈心疾患、高コレステロール血症、高脂血症、腎症、慢性腎疾患、糖尿病およびアルブミン尿からなる群より選択される病気にかかりやすいか、または前記病気を患っている、請求項１または２に記載の医薬組成物。
【請求項３０】
被験体が高コレステロール血症にかかりやすいか、または高コレステロール血症を患っている、請求項２９に記載の医薬組成物。
【請求項３１】
被験体が高脂血症にかかりやすいか、または高脂血症を患っている、請求項２９に記載の医薬組成物。
【請求項３２】
被験体が糖尿病にかかりやすいか、または糖尿病を患っている、請求項２９に記載の医薬組成物。
【請求項３３】
被験体が２型糖尿病を患っている、請求項３２に記載の医薬組成物。
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
物体（１）を持ち上げて移動させるための装置であって、
前記物体（１）を持ち上げて車輪（１４）によって動かすことができるように、前記車輪（１４）を一時的に下方向に出すための、空圧式持ち上げ装置と手動ポンプ（８，１８）及びバルブ（９）とを備え、
挿入部（２）が、突き出た縁部（５）を有するシート金属ボックスの形態であって、持ち上げられる前記物体（１）の下側（３）の被挿入部に下から、上下逆さまの状態、即ち前記突き出た縁部（５）が下側になるような状態で挿入することが可能な、又は、前記下側（３）に固定されることが可能なシート金属ボックスの形態に設計され、
前記シート金属ボックスには、そのベース面にフィットし、かつ、ポート（１１）を備えたエアクッション（１０）が挿入され、前記エアクッション（１０）の上には、前記エアクッション（１０）とは反対側に少なくとも３つの車輪（１４）を備えたプレート（１６）が置かれ、
前記プレート（１６）は、前記シート金属ボックス内で前記シート金属ボックスの側壁に沿って上方向及び下方向に移動することが可能であり、
圧縮ばね（１５）が、箱形の前記挿入部（２）と前記プレート（１６）の間に組み込まれ、前記プレート（１６）に垂直に力を及ぼし、前記エアクッション（１０）が膨らむのに伴って圧縮され、前記エアクッション（１０）がしぼむ場合には前記圧縮ばね（１５）の弛緩によって生じるばねの力によって前記プレート（１６）が押されて前記箱型の挿入部（２）の前記縁部（５）から離され、
車台の前記車輪（１４）は、前記箱型の挿入部（２）の下側の前記縁部（５）を越えて上方向に完全に収納されることが可能になっている、
装置。
【請求項２】
前記エアクッション（１０）は、前記シート金属ボックスの内部のベース面に合うように設計され、前記プレート（１６）は、前記エアクッション（１０）を膨らませることによって生じる前記エアクッション（１０）内の圧力の結果として前記プレート（１６）に最大の力を加えるために、前記エアクッション（１０）に合うように配置される、
請求項１に記載の装置。
【請求項３】
前記プレート（１６）は、前記箱型の挿入部（２）に対して外側に、４つの自由に動く車輪（１４）を備えており、前記車輪（１４）は、前記プレート（１６）上で玉軸受けを介してハブ（１２）によって支持されている、
請求項１−２のいずれかに記載の装置。
【請求項４】
前記箱型の挿入部（２）と、前記エアクッション（１０）と、前記プレート（１６）とは丸型に設計されており、少なくとも４つの自由に動く車輪（１４）が前記プレート（１６）の周縁に沿うように配置される、
請求項１−２のいずれか１つに記載の装置。
【請求項５】
前記箱型の挿入部（２）と、前記エアクッション（１０）と、前記プレート（１６）とは丸型に設計されており、５から１２の自由に動く車輪（１４）が前記プレート（１６）の周縁に沿うように配置される、
請求項１−３のいずれかに記載の装置。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
焼結された研磨粒子を作製する方法であって、
前駆体粒子が前記焼結された研磨粒子に変換されるような条件下で、前駆体粒子を火炎に通過させることを含み、前記前駆体粒子がアルファアルミナのか焼された前駆体を含み、前記前駆体粒子が５００マイクロメートル以下の平均粒径を有する、方法。
【請求項２】
約３マイクロメートル未満の最大寸法を有するアルファアルミナのアルファアルミナ結晶粒を含むセル微細構造を有し、５００マイクロメートル以下の平均粒径を有し、種粒子及びアルファアルミナ粒径調整剤を本質的に含まない、焼結された研磨粒子。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
細胞の分化能を高める方法であって、ＴＥＴ３遺伝子、その誘導体、またはそのフラグメントを前記細胞内へ導入するステップを含む、方法。
【請求項２】
前記細胞が全能性状態まで高められる、請求項１に記載の方法。
【請求項３】
前記細胞が、真の多能性状態のような、多能性状態まで高められる、請求項１に記載の方法。
【請求項４】
前記ＴＥＴ３遺伝子、その誘導体、またはそのフラグメントが、配列番号１１または１３のＴＥＴ３イソ型である、請求項１〜３のいずれか一項に記載の方法。
【請求項５】
前記細胞が、胚性幹（ＥＳ）細胞、特にＥ１４胚性幹（ＥＳ）細胞などの多能性細胞である、請求項１、２、または４のいずれか一項に記載の方法。
【請求項６】
前記細胞が体細胞である、請求項１〜４のいずれか一項に記載の方法。
【請求項７】
前記導入ステップが、前記ＴＥＴ３遺伝子、その誘導体、またはそのフラグメントを含有するベクターを前記細胞にトランスフェクトすることを含む、請求項１〜６のいずれか一項に記載の方法。
【請求項８】
前記ベクターがトランスポゾンベクターである、請求項７に記載の方法。
【請求項９】
高められた分化能を有する細胞を調製する方法であって、ＴＥＴ３遺伝子、その誘導体、またはそのフラグメントを細胞内へ導入するステップを含む、方法。
【請求項１０】
前記細胞が、胚性幹（ＥＳ）細胞、特にＥ１４胚性幹（ＥＳ）細胞などの多能性細胞である、請求項９に記載の方法。
【請求項１１】
前記細胞が体細胞である、請求項９に記載の方法。
【請求項１２】
Ｏｃｔ３／４遺伝子、Ｓｏｘ２遺伝子、Ｋｌｆ４遺伝子、およびｃ−Ｍｙｃ遺伝子を前記体細胞内へ導入するステップをさらに含む、請求項１１に記載の方法。
【請求項１３】
前記ＴＥＴ３遺伝子、その誘導体、またはそのフラグメントの導入後、前記細胞を培養するステップをさらに含む、請求項９〜１２のいずれか一項に記載の方法。
【請求項１４】
前記ＴＥＴ３遺伝子、その誘導体、またはそのフラグメントを過剰発現させる１つ以上の細胞を選択するステップをさらに含む、請求項９〜１３のいずれか一項に記載の方法。
【請求項１５】
前記１つ以上の細胞がフローサイトメトリーを使用して選択される、請求項１４に記載の方法。
【請求項１６】
請求項１〜１５のいずれか一項に定義される方法によって入手可能な、高められた分化能を有する細胞。
【請求項１７】
配列番号１１または１３のＴＥＴ３イソ型を含む核酸。
【請求項１８】
請求項１７に記載の核酸を含むベクター。
【請求項１９】
細胞の分化能を高める方法における、請求項１７に記載の前記核酸、または請求項１８に記載の前記ベクターの使用。
【請求項２０】
療法に使用するための、請求項１６に記載の高められた分化能を有する細胞。
【請求項２１】
前記療法が組織再生を含む、請求項２０に記載の使用のための高められた分化能を有する細胞。
【請求項２２】
ＴＥＴ３遺伝子、その誘導体、またはそのフラグメントを含有するベクターと、請求項１〜１５のいずれか一項に定義される方法に従ってキットを使用するための説明書とを含むキット。
【請求項２３】
胚性幹（ＥＳ）細胞、特にＥ１４胚性幹（ＥＳ）細胞などの少なくとも１つの多能性細胞をさらに含む、請求項２２に記載のキット。
【請求項２４】
少なくとも１つの体細胞をさらに含む、請求項２２に記載のキット。
【請求項２５】
前記細胞を培養するための培地と、請求項１〜１５のいずれか一項に定義される方法に従って、前記高められた分化能を有する細胞を調製するための説明書とをさらに含む、請求項２３または請求項２４に記載のキット。
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
癌または感染性物質により生じた疾患に罹患した対象のＴ細胞上の免疫調節標的と特異的に結合して該標的の活性を変化させ、癌細胞または感染性物質に対する内因性免疫応答を増強するヒトＩｇＧ抗体の抗腫瘍効果を増強、最適化、または最大にする方法であって、Ｆｃ領域のＦｃγＩ、ＦｃγＩＩａ、またはＦｃγＩＩＩａレセプターに対する結合を増強するように該抗体のＦｃ領域を選択、設計、または修飾することを含み、ここで該免疫調節標的がＣＴＬＡ−４、ＴＩＧＩＴ、またはＯＸ４０である、方法。
【請求項２】
ＦｃγＩ、ＦｃγＩＩａ、またはＦｃγＩＩＩａレセプターに対するヒトＩｇＧ抗体の結合の増強が、腫瘍部位における調節性Ｔ細胞（Ｔｒｅｇｓ）の減少を仲介する、請求項１記載の方法。
【請求項３】
ＦｃγＩ、ＦｃγＩＩａ、またはＦｃγＩＩＩａレセプターに対するヒトＩｇＧ抗体の結合の増強が腫瘍部位のエフェクターＴ細胞（Ｔｅｆｆｓ）の（ａ）減少を仲介しないかまたは（ｂ）増加を仲介する、請求項１記載の方法。
【請求項４】
該標的が、腫瘍部位のＴｒｅｇｓ上で腫瘍部位のＴｅｆｆｓより高レベルに発現する、請求項１記載の方法。
【請求項５】
該免疫調節標的がＣＴＬＡ−４である、請求項1記載の方法。
【請求項６】
該抗体のＦｃ領域が非フコシル化されている、請求項５記載の方法。
【請求項７】
請求項１から６のいずれか一項に記載の方法で作製された、Ｆｃ融合タンパク質。
【請求項８】
癌または感染性物質により生じた疾患に罹患した対象の内因性免疫応答を増強することにより該対象を治療することにおける使用のための、請求項７に記載のＦｃ融合タンパク。
【請求項９】
対象の癌または感染性物質により生じる疾患を治療するためのキットであって、
（ａ）対象の癌細胞または感染性物質に対する内因性免疫応答を増強する能力の増大をもたらす用量の請求項７記載のＦｃ融合タンパク質、および
（ｂ）使用のための取扱説明書
を含むキット。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
配列番号４を含むＶｈ−ＣＤＲ１、配列番号５を含むＶｈ−ＣＤＲ２、配列番号６を含むＶｈ−ＣＤＲ３、配列番号１０６を含むＶｌ−ＣＤＲ１、配列番号１０７を含むＶｌ−ＣＤＲ２、及び配列番号１０８を含むＶｌ−ＣＤＲ３を含む、単離ＢＣＭＡ結合抗体またはそのＢＣＭＡ結合フラグメント。
【請求項２】
配列番号２４０を含むＡｂ−１Ｖｌドメイン及び配列番号２０６を含むＡｂ−１Ｖｈドメインを含む、請求項１に記載の抗体またはフラグメント。
【請求項３】
配列番号２８０を含む２つのＡｂ−１軽鎖及び配列番号２７４を含む２つのＡｂ−１重鎖を含む、請求項１に記載の抗体またはフラグメント。
【請求項４】
前記抗体またはフラグメントが、
ａ．ヒトのものである；
ｂ．キメラである；
ｃ．モノクローナルである；
ｄ．ヒトＢＣＭＡに特異的に結合し、カニクイザルＢＣＭＡに交差反応する；
ｅ．ＴＡＣＩまたはＢＡＦＦ−Ｒに特異的に結合しない；
ｆ．ヒト骨髄腫細胞の表面上のＢＣＭＡに結合する；
ｇ．ヒト多発性骨髄腫細胞の表面上のＢＣＭＡに結合する；または
ｈ．ヒト細胞の表面上のＢＣＭＡに結合し、前記細胞に内部移行される、
請求項１に記載の抗体またはフラグメント。
【請求項５】
Ｎ−スクシンイミジル４−（Ｎ−マレイミドメチル）シクロヘキサン−１カルボキシレートであるリンカーをさらに含む、請求項１に記載の抗体またはフラグメント。
【請求項６】
ＤＭ１、ＤＭ３またはＤＭ４をさらに含む、請求項１に記載の抗体またはフラグメント。
【請求項７】
前記抗体またはフラグメントがリンカーに共有結合しており、前記リンカーが薬物に共有結合しており、前記リンカーがＮ−スクシンイミジル４−（Ｎ−マレイミドメチル）シクロヘキサン−１カルボキシレートであり、前記薬物がＤＭ１、ＤＭ３またはＤＭ４である、請求項１に記載の抗体またはフラグメント。
【請求項８】
抗体に対する薬物の比が１〜１０である、請求項７に記載の抗体またはフラグメント。
【請求項９】
抗体に対する薬物の比が２〜５である、請求項８に記載の抗体またはフラグメント。
【請求項１０】
請求項１〜９のいずれか一項に記載の抗体またはフラグメント、医薬として許容される希釈剤、担体、可溶化剤、乳化剤、及び／または保存剤を含む医薬組成物。
【請求項１１】
Ｂ細胞癌、多発性骨髄腫、悪性形質細胞腫、カーレル病、及び骨髄腫症、形質細胞性白血病、形質細胞腫、Ｂ細胞性前リンパ急性白血病、有毛細胞性白血病、Ｂ細胞非ホジキンリンパ腫（ＮＨＬ）、急性骨髄性白血病（ＡＭＬ）、慢性骨髄性白血病（ＣＭＬ）、急性リンパ球性白血病（ＡＬＬ）、慢性リンパ球性白血病（ＣＬＬ）、濾胞性リンパ腫（濾胞性非ホジキンリンパ腫型を含む）、バーキットリンパ腫（風土性バーキットリンパ腫、散発性バーキットリンパ腫）、辺縁帯リンパ腫（粘膜関連リンパ組織、ＭＡＬＴ／ＭＡＬＴリンパ腫、単球様Ｂ細胞リンパ腫、絨毛状リンパ球を伴う脾臓リンパ腫）、マントル細胞リンパ腫、大細胞型リンパ腫（びまん性大細胞、びまん性混合細胞、免疫芽球性リンパ腫、原発性縦隔性Ｂ細胞リンパ腫、血管中心性リンパ腫−肺性Ｂ細胞）、小リンパ球性リンパ腫（ＳＬＬ）、前駆Ｂリンパ芽球性リンパ腫、骨髄性白血病（顆粒球性、骨髄性、急性骨髄性白血病、慢性骨髄性白血病、亜急性骨髄性白血病、骨髄性肉腫、緑色腫、顆粒球性肉腫、急性前骨髄球性白血病、急性骨髄単球性白血病）、ヴァルデンストレームマクログロブリン血症、または他のＢ細胞リンパ腫からなる群から選択される疾患を治療するための、請求項１０に記載の医薬組成物。
【請求項１２】
前記治療においてさらなる追加治療のうちの１つを施し、前記追加治療が、化学療法、放射線療法、手術、プロテアソーム阻害剤、コルチコステロイド、及び幹細胞移植からなる群から選択される、請求項１１に記載の医薬組成物。
【請求項１３】
請求項１に記載の抗体またはフラグメントの、軽鎖、重鎖または軽鎖及び重鎖をコードする、単離ポリヌクレオチド。
【請求項１４】
ａ．配列番号１を含むＶｈ−ＣＤＲ１、配列番号２を含むＶｈ−ＣＤＲ２、及び配列番号３を含むＶｈ−ＣＤＲ３；並びに／または
ｂ．配列番号１０３を含むＶｌ−ＣＤＲ１、配列番号１０４を含むＶｌ−ＣＤＲ２、及び配列番号１０５を含むＶｌ−ＣＤＲ３
を含む、請求項１３に記載のポリヌクレオチド。
【請求項１５】
配列番号２３９を含むＡｂ−１Ｖｌ及び配列番号２０５を含むＡｂ−１Ｖｈを含む、請求項１３に記載のポリヌクレオチド。
【請求項１６】
配列番号２７９を含む軽鎖及び配列番号２７３を含む重鎖を含む、請求項１３に記載のポリヌクレオチド。
【請求項１７】
請求項１３〜１６のいずれか一項に記載のポリヌクレオチドを含むプラスミド。
【請求項１８】
前記プラスミドが発現ベクターである、請求項１７に記載のプラスミド。
【請求項１９】
請求項１７に記載のプラスミドを含む単離細胞であって、前記細胞は、
ａ．原核細胞、
ｂ．真核細胞、
ｃ．哺乳動物細胞、
ｄ．昆虫細胞、または
ｅ．ＣＨＯ細胞である、単離細胞。
【請求項２０】
ＢＣＭＡ結合抗体またはそのＢＣＭＡ結合フラグメントを製造する方法であって、請求項１９に記載の前記単離細胞を、それが前記抗体またはポリペプチドを発現できる条件下でインキュベートすることを含む、方法。
【請求項２１】
配列番号２８５及び配列番号２８６に特異的に結合するが、配列番号３５１には特異的に結合しない、単離モノクローナル抗体。
【請求項２２】
配列番号３５２に特異的に結合するが、配列番号３５１には特異的に結合しない、単離モノクローナル抗体。
【請求項２３】
配列番号２８５のアミノ酸１〜２０（境界値を含む）を含む中和決定基に結合する、単離モノクローナル抗体。
【請求項２４】
配列番号２８５のアミノ酸１〜１１（境界値を含む）を含む中和決定基に結合する、単離モノクローナル抗体。
【請求項２５】
ＢＣＭＡ結合抗体またはそのＢＣＭＡ結合フラグメントであって、前記抗体が、０〜３．４Å（境界値を含む）の接触距離分解能でのＸ線結晶構造解析によって定義されるように、配列番号３６０のヒトＢＣＭＡのＧｌｙ６、Ｇｌｎ７、Ｐｈｅ１４、Ａｓｐ１５、Ｓｅｒ１６、Ｌｅｕ１７、及びＨｉｓ１９と相互作用する、ＢＣＭＡ結合抗体またはそのＢＣＭＡ結合フラグメント。
【請求項２６】
前記抗体が、３．４〜５．０Å（境界値を含む）の接触距離分解能でのＸ線結晶構造解析によって定義されるように、配列番号３６０のヒトＢＣＭＡのＧｌｙ６、Ｇｌｎ７、Ｃｙｓ８、Ｔｙｒ１３、Ｐｈｅ１４、Ａｓｐ１５、Ｓｅｒ１６、Ｌｅｕ１７、Ｌｅｕ１８、Ｈｉｓ１９、及びＡｌａ２０と相互作用する、請求項２５に記載の抗体またはそのフラグメント。
【請求項２７】
前記抗体が、０〜３．４Å（境界値を含む）の接触距離分解能でのＸ線結晶構造解析によって定義されるように、配列番号３６０のヒトＢＣＭＡのＧｌｎ７、Ａｓｐ１５、Ｓｅｒ１６、Ｌｅｕ１７、及びＨｉｓ１９と水素結合を形成する、請求項２５に記載の抗体またはそのフラグメント。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
エアロゾル発生システムであって：
酸性供与源；および
ニコチン供与源
を含み、
前記酸性供与源は、カプセル化された揮発性液体供与源であって、
収着エレメント；
前記収着エレメント上に25℃にて収着された少なくとも約20Paの蒸気圧を有する揮発性液体であって、前記揮発性液体は酸を含む、揮発性液体；および
前記収着エレメントをカプセル化する約40℃〜約120℃の間の融点を有するシーラント、
を含む、エアロゾル発生システム。
【請求項２】
前記揮発性液体が25℃にて少なくとも約50Paの蒸気圧を有する、請求項1に記載のエアロゾル発生システム。
【請求項３】
前記揮発性液体は2-オキソ酸を含む、請求項1または2に記載のエアロゾル発生システム。
【請求項４】
前記酸は、3-メチル-2-オキソ吉草酸、ピルビン酸、2-オキソ吉草酸、4-メチル-2-オキソ吉草酸、3-メチル-2-オキソブタン酸、2-オキソオクタン酸およびこれらの組み合わせからなる群より選択される、請求項1〜3のいずれか1に記載のエアロゾル発生システム。
【請求項５】
前記酸は、ピルビン酸である、請求項4に記載のエアロゾル発生システム。
【請求項６】
前記シーラントは、約40℃〜約70℃の間の融点を有する、請求項1〜5のいずれか1項に記載のエアロゾル発生システム。
【請求項７】
前記シーラントは、ろうを含む、請求項1〜6のいずれか1項に記載のエアロゾル発生システム。
【請求項８】
前記シーラントは、蜜ろう、カルナウバろう、キャンデリラろう、石油ろう、ポリオレフィンろうおよびそれらの誘導体からなる前記群より選択される1つまたは複数のろうを含む、請求項7に記載のエアロゾル発生システム。
【請求項９】
前記シーラントは、パラフィンろうを含む、請求項8に記載のエアロゾル発生システム。
【請求項１０】
前記収着エレメントは、多孔性吸着エレメントである、請求項1〜9のいずれか1項に記載のエアロゾル発生システム。
【請求項１１】
請求項1〜10のいずれか1項に記載のエアロゾル発生システムは：
前記シーラントの前記融点より上の温度に、前記カプセル化された揮発性液体供与源を加熱するための加熱手段、
をさらに含む、エアロゾル発生システム。
【請求項１２】
前記エアロゾル発生システムは、紙巻きタバコをまねる、請求項1〜11のいずれか1項に記載のエアロゾル発生システム。
【請求項１３】
前記ニコチン供与源は、カプセル化されたニコチン供与源である、請求項1〜12のいずれか1項に記載のエアロゾル発生システム。
【請求項１４】
前記ニコチン供与源はカプセル化されたニコチン供与源であって：
収着エレメント； 
前記収着エレメント上に25℃にて収着された少なくとも約20Paの蒸気圧を有する揮発性液体；および
前記収着エレメントをカプセル化する約40℃〜約120℃の間の融点を有するシーラント、
を含む、請求項1〜13のいずれか1項に記載のエアロゾル発生システム。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
微生物から分泌された参照分泌タンパク質のアミノ酸配列と比べて変化したアミノ酸配列を含む少なくとも２０アミノ酸の配列を含む改変タンパク質であって、前記参照分泌タンパク質中の約５から約５０の非必須アミノ酸残基が、必須アミノ酸残基に置換しているか、または前記参照分泌タンパク質中の少なくとも約１％の１つ以上の非必須アミノ酸残基が、１つ以上の非必須アミノ酸残基に置換している、改変タンパク質。
【請求項２】
前記参照分泌タンパク質中の非必須アミノ酸残基の少なくとも１つの必須アミノ酸残基置換を含む、請求項１に記載の改変タンパク質。
【請求項３】
（ｉ）前記参照分泌タンパク質中の非アルギニン（Ａｒｇ）又は非グルタミン（Ｇｌｕ）アミノ酸残基の少なくとも１つのアルギニン（Ａｒｇ）又はグルタミン（Ｇｌｕ）アミノ酸残基置換、（ｉｉ）前記参照分泌タンパク質中の非フェニルアラニン（Ｐｈｅ）アミノ酸残基の少なくとも１つのＰｈｅアミノ酸残基置換、又は（ｉｉｉ）その組合せを含む、請求項１に記載の改変タンパク質。
【請求項４】
（ｉ）前記参照分泌タンパク質中の非ロイシン（Ｌｅｕ）アミノ酸残基の少なくとも１つのＬｅｕアミノ酸残基置換、（ｉｉ）前記参照分泌タンパク質中の非イソロイシン（Ｉｌｅ）アミノ酸残基の少なくとも１つのＩｌｅアミノ酸残基置換、又は（ｉｉｉ）その組合せを含む、請求項１に記載の改変タンパク質。
【請求項５】
前記参照分泌タンパク質中の非バリン（Ｖａｌ）アミノ酸残基の少なくとも１つのＶａｌアミノ酸残基置換を含む、請求項１に記載の改変タンパク質。
【請求項６】
前記参照分泌タンパク質中の非スレオニン（Ｔｈｒ）アミノ酸残基の少なくとも１つのＴｈｒアミノ酸残基置換を含む、請求項１に記載の改変タンパク質。
【請求項７】
前記参照分泌タンパク質中の非リジン（Ｌｙｓ）アミノ酸残基の少なくとも１つのＬｙｓアミノ酸残基置換を含む、請求項１に記載の改変タンパク質。
【請求項８】
前記参照分泌タンパク質中の非メチオニン（Ｍｅｔ）アミノ酸残基の少なくとも１つのＭｅｔアミノ酸残基置換を含む、請求項１に記載の改変タンパク質。
【請求項９】
前記参照分泌タンパク質中の非ヒスチジン（Ｈｉｓ）アミノ酸残基の少なくとも１つのＨｉｓアミノ酸残基置換を含む、請求項１に記載の改変タンパク質。
【請求項１０】
前記変化したアミノ酸配列が、アミノ酸１個当たりの位置エントロピーが少なくとも１．５のアミノ酸位置でのアミノ酸残基置換である、請求項１に記載の改変タンパク質。
【請求項１１】
微生物から分泌された参照分泌タンパク質のアミノ酸配列と比べて変化したアミノ酸配列を含む少なくとも２０アミノ酸の配列を含む単離された改変タンパク質であって、前記参照分泌タンパク質中の約５から約５０の非必須アミノ酸残基が、必須アミノ酸残基に置換しているか、または前記参照分泌タンパク質中の少なくとも約１％の１つ以上の非必須アミノ酸残基が、１つ以上の非必須アミノ酸残基に置換している、単離された改変タンパク質。
【請求項１２】
栄養的量の請求項１１に記載の単離された改変タンパク質を含む製剤。
【請求項１３】
請求項１に記載の改変タンパク質をコードする核酸配列を含む単離された核酸。
【請求項１４】
改変タンパク質をコードする前記核酸配列に機能可能に連結した発現調節配列を更に含む、請求項１３に記載の単離された核酸。
【請求項１５】
請求項１に記載の改変タンパク質をコードする核酸配列を含むベクター。
【請求項１６】
請求項１に記載の改変タンパク質をコードする前記核酸配列に機能可能に連結した発現調節配列を更に含む、請求項１５に記載のベクター。
【請求項１７】
（ａ）請求項１３に記載の核酸及び（ｂ）請求項１５に記載のベクター、の少なくとも１つを含む、組換え型微生物。
【請求項１８】
請求項１７に記載の組換え型微生物を前記組換え型微生物による改変タンパク質の生産に充分な条件下で培養することを含む、改変タンパク質の作製方法。
【請求項１９】
対象における筋肉量、筋力、及び機能的パフォーマンスを維持又は増強するために使用される組成物であって、充分な量の請求項１に記載の改変タンパク質を含む、組成物。
【請求項２０】
対象において望ましい肥満度指数を維持又は達成するために使用される組成物であって、充分な量の請求項１に記載の改変タンパク質を含む、組成物。
【請求項２１】
前記参照分泌タンパク質中の少なくとも２個の非必須アミノ酸残基が必須アミノ酸残基で置換されている、請求項１に記載の改変タンパク質。
【請求項２２】
前記参照分泌タンパク質中の約５から約５０個の非必須アミノ酸残基が、必須アミノ酸残基に置換している、請求項１に記載の改変タンパク質。
【請求項２３】
前記参照分泌タンパク質中の少なくとも約１％の１つ以上の非必須アミノ酸残基が、１つ以上非必須アミノ酸残基に置換している、請求項１に記載の改変タンパク質。
【請求項２４】
溶解度がｐＨ７で約１０ｇ／ｌより大きい、請求項１に記載の改変タンパク質。
【請求項２５】
消化率が、６０分未満の人工胃液消化半減期を有する、請求項１に記載の改変タンパク質。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
除細動器をセルフテストする方法であって、
第１の頻度で、セルフテストプロトコルを定期的に行うステップと、
閾値条件を超過する条件を検出するステップと、
前記検出するステップに反応して、前記セルフテストプロトコルを、第２の頻度に自動的に切り替えるステップと、
前記第２の頻度で、前記セルフテストプロトコルを定期的に行うステップと、
を含み、
前記第１の頻度は、前記第２の頻度よりも高い、方法。
【請求項２】
前記セルフテストプロトコルは、高電圧コンポーネントセルフテストプロトコルを含む、請求項１に記載の方法。
【請求項３】
前記高電圧コンポーネントセルフテストプロトコルは、前記除細動器内の電気療法供給回路を介する電気療法に十分な電圧を印加するステップを含む、請求項２に記載の方法。
【請求項４】
前記第１の頻度は、毎日である、請求項３に記載の方法。
【請求項５】
前記セルフテストプロトコルは、低電圧セルフテストプロトコルを含み、更に、前記第２の頻度は、ゼロである、請求項１に記載の方法。
【請求項６】
前記除細動器における電池交換を検出するステップと、
前記検出するステップに基づいて、前記セルフテストプロトコルを、前記第２の頻度よりも高い第３の頻度に自動的に切り替えるステップと、
を更に含む、請求項１に記載の方法。
【請求項７】
前記条件は、経過時間であり、前記閾値条件は、所定の期間である、請求項１に記載の方法。
【請求項８】
前記条件は、前記除細動器の感知された起動回数であり、前記閾値条件は、前記除細動器の閾値起動回数である、請求項１に記載の方法。
【請求項９】
前記条件は、完了したセルフテストの回数であり、前記閾値条件は、前記セルフテストの所定回数である、請求項１に記載の方法。
【請求項１０】
前記条件は、環境条件であり、前記閾値条件は、環境閾値条件である、請求項１に記載の方法。
【請求項１１】
前記環境条件は、温度、ユーザ起動、機械的衝撃及び湿度からなるセットから選択される１つである、請求項１０に記載の方法。
【請求項１２】
前記第２の頻度で、前記セルフテストプロトコルを定期的に行うステップの開始の後の所定の期間の後、前記セルフテストプロトコルを、前記第２の頻度よりも高い第３の頻度に自動的に切り替えるステップと、
前記第３の頻度で、前記セルフテストプロトコルを定期的に行うステップと、
を更に含む、請求項１０に記載の方法。
【請求項１３】
除細動器をセルフテストする方法であって、
第１の頻度で、セルフテストプロトコルを定期的に行うステップと、
他の除細動器の故障又は欠陥に関する情報を、前記除細動器において受信するステップと、
前記受信するステップにおいて受信した前記情報に反応して、前記セルフテストプロトコルを、第２の頻度に自動的に切り替えるステップと、
前記第２の頻度で、前記セルフテストプロトコルを定期的に行うステップと、
を含む、方法。
【請求項１４】
前記第２の頻度は、前記第１の頻度よりも高い、請求項１３に記載の方法。
【請求項１５】
前記受信するステップは、ワイヤレス通信路を介して、前記除細動器において前記情報を受信するステップを含む、請求項１３に記載の方法。
【請求項１６】
自動セルフテストプロトコルを有する除細動器であって、
１対の患者電極に、高電圧電気療法を提供する回路と、
セルフテストプロトコル用の命令と、閾値条件とを格納するメモリと、
前記閾値条件に対応する条件を検知するセンサと、
前記メモリ及び前記センサに結合され、前記条件が前記閾値条件を超過しない場合は、第１の頻度で、又は、前記条件が前記閾値条件を超過する場合は、第２の頻度で、前記セルフテストプロトコルを使用して、前記除細動器のセルフテストを行うように動作可能であるコントローラと、
最近のセルフテストの結果の表示を提供する出力部と、
を含み、
前記第２の頻度は前記第１の頻度よりも低い、除細動器。
【請求項１７】
前記閾値条件は、経過時間、所定のユーザ起動回数、所定のユーザ制御ボタン押下回数、正常動作温度を上回る温度、前記正常動作温度を下回る温度、所定の機械的衝撃の回数及び湿度閾値からなる群から選択される１つである、請求項１６に記載の除細動器。
【請求項１８】
前記出力部は、発光ダイオード、液晶ディスプレイ及びグラフィックアイコンを含む視覚的グラフィックである、請求項１６に記載の除細動器。
【請求項１９】
前記グラフィックアイコンは、前記除細動器は、使用の準備が整っていないことを示し、
前記液晶ディスプレイは、前記グラフィックアイコンを覆い、前記除細動器が使用の準備が整っている場合は、前記グラフィックアイコンを覆い隠すように動作可能であり、
前記発光ダイオードは、前記除細動器が、使用の準備が整っている場合は、点灯するように動作する、請求項１８に記載の除細動器。
【請求項２０】
時間的に近い製造日を有する第２の除細動器に欠陥があることを示す情報をワイヤレスで受信するように動作可能な受信器を更に含み、
前記コントローラは更に、受信した前記情報に反応して、前記第２の頻度で、前記セルフテストプロトコルにおいて前記回路を動作させるように動作可能である、請求項１６に記載の除細動器。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
患者の歯列弓のポジ形状と類似体のセットのポジ形状からなる形状を表す物理モックアップの作製方法であって、
−該患者の歯列弓の少なくとも一部の複製である仮想歯列弓を提供する工程と、
−該仮想歯列弓に対する歯科矯正用ブラケットの仮想セットを提供する工程と、
−類似体の仮想セットを提供する工程であって、それぞれの類似体は、該ブラケットの仮想セットのうちの一の仮想ブラケットに関連付けられ、該仮想類似体のうちの１つ以上は、該仮想類似体に関連付けられた仮想ブラケットの形状に近似しており、
−該類似体のうちの前記１つ以上の形状は、該類似体に関連付けられたブラケットの形状とそれぞれ異なっている、工程と、
−仮想モックアップを提供する工程であって、該仮想歯列弓と該仮想類似体のセットとが統合される、工程と、
−該仮想モックアップに基づいて該物理モックアップを製造する工程と、を含む、方法。
【請求項２】
少なくとも１つの仮想ブラケットの形状を変更して、前記仮想類似体のうちの少なくとも１つを形成する工程を更に含む、請求項１に記載の方法。
【請求項３】
前記物理モックアップの少なくとも一部のネガ形状を物理的に複製することによって、前記ブラケットのセット用のトランスファートレーを提供する工程を更に含む、請求項１又は２に記載の方法。
【請求項４】
請求項１〜３のいずれか一項に記載の方法により得られる物理モックアップ。
【請求項５】
トランスファートレーの作製方法であって、
−ブラケットのセットを取り付けた患者の歯列弓のポジ形状と類似するか、又は該ポジ形状に対応する形状の物理モックアップを提供する工程と、
−該物理モックアップ上に弾性シートを提供して、該シートによって該モックアップの歯側の少なくとも一部を被覆する工程と、
−該弾性シートが可塑性シートと該モックアップとの間に配置された状態で、該モックアップ上に該可塑性シートを提供する工程と、
−該可塑性シートが該モックアップの少なくとも歯側を密着して取り囲むように、かつ、該可塑性シートが、該可塑性シートと該モックアップとの間で該弾性シートを抱持するように、該モックアップを覆う該可塑性シートを変形させる工程と、
−該弾性シートを液状又はペースト状の硬化性材料で置き換える工程と、
−該硬化性材料を硬化させる工程と、を含む、方法。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
１つ以上の遺伝子産物の発現を変更する方法であって、前記１つ以上の遺伝子産物をコードするＤＮＡ分子を含有し、発現する細胞中に、Ｃａｓタンパク質およびＤＮＡ分子をターゲティングする１つ以上のガイドＲＮＡを含むエンジニアリングされた天然に存在しないＣＲＩＳＰＲ−Ｃａｓ系を導入し、それにより前記１つ以上のガイドＲＮＡは、前記１つ以上の遺伝子産物をコードする前記ＤＮＡ分子のゲノム遺伝子座をターゲティングし、前記Ｃａｓタンパク質は、前記１つ以上の遺伝子産物をコードする前記ＤＮＡ分子の前記ゲノム遺伝子座を開裂し、それにより前記１つ以上の遺伝子産物の発現を変更することを含み；前記Ｃａｓタンパク質および前記ガイドＲＮＡは、一緒に天然に存在しない、方法。
【請求項２】
１つ以上の遺伝子産物の発現を変更する方法であって、前記１つ以上の遺伝子産物をコードするＤＮＡ分子を含有し、発現する細胞中に、
ａ）前記１つ以上の遺伝子産物をコードする前記ＤＮＡ分子のゲノム遺伝子座中の標的配列とハイブリダイズする１つ以上のＣＲＩＳＰＲ−Ｃａｓ系ガイドＲＮＡに作動可能に結合している第１の調節エレメント、
ｂ）Ｃａｓタンパク質に作動可能に結合している第２の調節エレメント
を含み、
成分（ａ）および（ｂ）は、系の同一または異なるベクター上にあり、
それにより前記ガイドＲＮＡは、前記１つ以上の遺伝子産物をコードする前記ＤＮＡ分子の前記ゲノム遺伝子座をターゲティングし、前記Ｃａｓタンパク質は、前記１つ以上の遺伝子産物をコードする前記ＤＮＡ分子の前記ゲノム遺伝子座を開裂し、それにより前記１つ以上の遺伝子産物の発現を変更し；前記Ｃａｓタンパク質および前記ガイドＲＮＡは、一緒に天然に存在しない、
１つ以上のベクターを含むエンジニアリングされた天然に存在しないベクター系を導入することを含む方法。
【請求項３】
２つ以上の遺伝子産物の発現を変更する、請求項１または２に記載の方法。
【請求項４】
前記系の前記ベクターまたは前記Ｃａｓタンパク質が、１つ以上のＮＬＳをさらに含む、請求項１〜３のいずれか一項に記載の方法。
【請求項５】
前記ガイドＲＮＡが、ｔｒａｃｒ配列に融合しているガイド配列を含む、請求項１〜４のいずれか一項に記載の方法。
【請求項６】
前記細胞が、真核細胞である、請求項１〜５のいずれか一項に記載の方法。
【請求項７】
前記真核細胞が、哺乳動物細胞である、請求項６に記載の方法。
【請求項８】
前記哺乳動物細胞が、ヒト細胞である、請求項７に記載の方法。
【請求項９】
前記Ｃａｓタンパク質が、Ｃａｓ９タンパク質である、請求項１〜８のいずれか一項に記載の方法。
【請求項１０】
前記Ｃａｓタンパク質が、真核細胞中の発現のためにコドン最適化されている、請求項１〜９のいずれか一項に記載の方法。
【請求項１１】
前記遺伝子産物の発現を減少させる、請求項１〜１０のいずれか一項に記載の方法。
【請求項１２】
前記遺伝子産物が、タンパク質である、請求項１〜１１のいずれか一項に記載の方法。
【請求項１３】
前記細胞中への導入が、ウイルス粒子、リポソーム、エレクトロポレーション、マイクロインジェクションまたはコンジュゲーションを含む送達系による、請求項１〜１２のいずれか一項に記載の方法。
【請求項１４】
ａ）１つ以上の遺伝子産物をコードするＤＮＡ分子のゲノム遺伝子座中の標的配列とハイブリダイズする１つ以上のＣＲＩＳＰＲ−Ｃａｓ系ガイドＲＮＡに作動可能に結合している第１の調節エレメント、
ｂ）Ｃａｓタンパク質に作動可能に結合している第２の調節エレメント
を含み、
成分（ａ）および（ｂ）は、系の同一または異なるベクター上にあり、
それにより前記ガイドＲＮＡは、細胞中の前記１つ以上の遺伝子産物をコードする前記ＤＮＡ分子の前記ゲノム遺伝子座をターゲティングし、前記Ｃａｓタンパク質は、前記１つ以上の遺伝子産物をコードする前記ＤＮＡ分子の前記ゲノム遺伝子座を開裂し、それにより前記１つ以上の遺伝子産物の発現が変更され；前記Ｃａｓタンパク質および前記ガイドＲＮＡは、一緒に天然に存在しない
１つ以上のベクターを含むエンジニアリングされた天然に存在しないベクター系。
【請求項１５】
Ｃａｓタンパク質および細胞中の１つ以上の遺伝子産物をコードするＤＮＡ分子のゲノム遺伝子座をターゲティングする１つ以上のガイドＲＮＡを含み、前記Ｃａｓタンパク質は、前記１つ以上の遺伝子産物をコードする前記ＤＮＡ分子の前記ゲノム遺伝子座を開裂し、それにより前記１つ以上の遺伝子産物の発現が変更され；前記Ｃａｓタンパク質および前記ガイドＲＮＡは、一緒に天然に存在しないエンジニアリングされたプログラマブルな天然に存在しないＣＲＩＳＰＲ−Ｃａｓ系。
【請求項１６】
２つ以上の遺伝子産物の発現を変更する、請求項１４または１５に記載の系。
【請求項１７】
１つ以上のＮＬＳをさらに含む、請求項１４〜１６のいずれか一項に記載の系。
【請求項１８】
前記ガイドＲＮＡが、ｔｒａｃｒ配列に融合しているガイド配列を含む、請求項１４〜１７のいずれか一項に記載の系。
【請求項１９】
前記細胞が、真核細胞である、請求項１４〜１８のいずれか一項に記載の系。
【請求項２０】
前記真核細胞が、哺乳動物細胞である、請求項１９に記載の系。
【請求項２１】
前記哺乳動物細胞が、ヒト細胞である、請求項２０に記載の系。
【請求項２２】
前記ＣＲＩＳＰＲ−Ｃａｓ系が、ＩＩ型ＣＲＩＳＰＲ−Ｃａｓ系である、請求項１４〜２１のいずれか一項に記載の系。
【請求項２３】
前記Ｃａｓタンパク質が、Ｃａｓ９タンパク質である、請求項１４〜２２のいずれか一項に記載の系。
【請求項２４】
前記Ｃａｓタンパク質が、真核細胞中の発現のためにコドン最適化されている、請求項１４〜２３のいずれか一項に記載の系。
【請求項２５】
前記遺伝子産物の発現を減少させる、請求項１４〜２４のいずれか一項に記載の系。
【請求項２６】
前記遺伝子産物が、タンパク質である、請求項１４〜２５のいずれか一項に記載の系。
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
アッセイシステムであって、
（ａ）蛍光体に結合される生物活性剤と、
（ｂ）生物発光リポータに融合される細胞ターゲットと、
（ｃ）生物発光リポータの基質と、
を含むアッセイシステム。
【請求項２】
前記生物活性剤は、小分子である、請求項１に記載のシステム。
【請求項３】
前記蛍光体は、カルボキシローダミン類似体である、請求項１に記載のシステム。
【請求項４】
前記生物発光リポータは、ＳＥＱ  ＩＤ  Ｎｏ．１と少なくとも７０％の配列同一性を有するポリペプチドを含む、請求項１に記載のシステム。
【請求項５】
前記（ａ）及び前記（ｂ）が、細胞中に存在する、請求項１に記載のシステム。
【請求項６】
前記（ｂ）が、融合体として細胞内に発現される、請求項５に記載のシステム。
【請求項７】
前記（ａ）が、細胞外で加えられ、かつ、細胞に進入する、請求項５に記載のシステム。
【請求項８】
前記細胞ターゲットが、生物活性剤の結合パートナーである、請求項１に記載のシステム。
【請求項９】
前記生物発光リポータの発光スペクトラムが、前記蛍光体の吸収スペクトルと重なる、請求項８に記載のシステム。
【請求項１０】
前記生物活性剤の前記細胞ターゲットへの結合において、前記生物発光リポータによる前記基質の反応生成物への変換により、ＢＲＥＴによる前記蛍光体の励起及び前記蛍光体からの蛍光発光が生じる、請求項９に記載のシステム。
【請求項１１】
前記（ａ）は、前記蛍光体に結合される前記生物活性剤のライブラリの１つである、請求項１に記載のシステム。
【請求項１２】
前記（ｂ）は、前記生物発光リポータに融合される複数の細胞ターゲットの１つである、請求項１に記載のシステム。
【請求項１３】
前記生物活性剤又は前記蛍光体に結合される前記生物活性剤が、非自然の化学合成によって生成される、請求項１に記載のシステム。
【請求項１４】
生物活性剤の細胞ターゲットへの結合を検出する方法であって、請求項１〜１３の一つに記載のシステムを含む、方法。
【請求項１５】
請求項１〜１３の一つに記載のシステムを含む、細胞。
【請求項１６】
生物活性剤と細胞ターゲットとの間の相互作用を検出するための方法であって、
（ａ）前記細胞ターゲットと第１の波長でエネルギを放出する生物発光リポータとの融合体を、細胞内で発現することと、
（ｂ）蛍光体に結合した前記生物活性剤に、前記細胞を接触させることと、ここで、前記蛍光体は前記第１の波長でエネルギを受け、かつ、第２の波長でエネルギを放出し、
（ｃ）前記生物発光リポータの基質に、前記細胞を接触させることと、
（ｄ）前記第２の波長のエネルギを検出することと、ここで、前記第２の波長での前記エネルギの存在は、前記生物活性剤の前記細胞ターゲットとの相互作用を示し、
を含む方法。
【誤訳訂正書】
【提出日】平成29年10月19日(2017.10.19)
【誤訳訂正１】
【訂正対象書類名】明細書
【訂正対象項目名】００２３
【訂正方法】変更
【訂正の内容】
【００２３】
セラミック組成物
各実施態様において、上記セラミック組成物、例えば、セラミックハニカム構造体は、下記の成分を含む(質量%基準)：
・25〜60%、または35〜60%、または40〜60%、または40〜55%、または40〜50%、または45〜55%、または45〜50%、または50〜55%のチアライト；
・35〜75%、または35〜60%、40〜60%、または40〜55%、または40〜50%、または45〜55%、または45〜50%、または50-55%のムライト；
・0〜8%、または0〜5%、または0〜3%、または0〜2%、または0〜1%のジルコニア；
・0〜10%、または0〜5%、0〜3%、または0〜2%、または0〜1%のチタン酸ジルコニウム；
・0〜10 %、または0〜5、または0〜3%、または0〜2%、または0〜1%の非晶質相；
・0〜5%、または0〜4%、または0〜3%、または0〜2%、または0〜1% のアルカリ土類金属酸化物；および、
・0〜10%、または0〜7%、または0〜5%、または0〜4%、または0〜3%、または0〜2%、または0〜1%のアルミナ。
【誤訳訂正２】
【訂正対象書類名】明細書
【訂正対象項目名】００５８
【訂正方法】変更
【訂正の内容】
【００５８】
アルミナ(Al2O3)、チタニア(TiO2)およびジルコニア(ZrO2),の使用を含む上記実施態様の全てにおいて、そのアルミナ、チタニアおよび/またはジルコニアを、部分的にまたは全体的に、アルミナ、チタニアおよび/またはジルコニアプレカーサー化合物で置換え得る。“アルミナプレカーサー化合物”なる用語は、アルミニウム(Al)および酸素(O)に対して１種以上の追加の成分を含んでいてもよい化合物であって、これらの追加の成分がそのアルミナプレカーサー化合物を焼結条件に供している間に除去され、そして、これらの追加成分は焼結条件下では揮発性であるそのような化合物と理解されたい。従って、アルミナプレカーサー化合物はAl2O3と異なる全体式を有し得るものの、式Al2O3を有する成分(またはさらなる固形相を含むその反応生成物)のみが焼結後に残される。従って、本発明に従う押出可能な混合物または生ハニカム構造体（未焼結ハニカム構造体）中に存在するアルミナプレカーサー化合物の量は、アルミナ(Al2O3)の特定の等価物を表すために容易に再算出し得る。用語“チタニアプレカーサー化合物”および“ジルコニアプレカーサー化合物”も、同様に理解すべきである。
【誤訳訂正３】
【訂正対象書類名】明細書
【訂正対象項目名】０１３１
【訂正方法】変更
【訂正の内容】
【０１３１】
〔実施例１〕
下記の表１に示す成分を一緒に混合した。
表１
2016500627.tif 000001
得られた生成物を乾燥炉内で乾燥させ、次いで、1600℃の温度で4時間焼成した。得られたシャモットは、71%のチアライト、27%のムライト3：2、1%のコランダムおよび1%の非晶質相を含んでいた。上記シャモットは、0.8×10-6℃-1の800℃でのCTEを有していた。1600℃において、相が完全に形成された。